(57)【要約】【課題】既に受信した電子メールを参照しながら容易に電子メールを作成することができる携帯端末を提供する。【解決手段】電子メールを送受信する電子メール送受信手段と、電子メール送受信手段により受信された電子メールを表示する表示手段と、表示手段に表示された受信された電子メールの文字間でカーソル位置を移動させるカーソル移動手段と、カーソル位置で文字の入力を行う文字入力手段と、文字入力手段により入力された文字を抜き出し、抜き出された文字を電子メール送受信手段により送信される電子メールとして作成する電子メール作成手段とを備えた。【選択図】  図４
2011065316.tif 000002
【特許請求の範囲】
【請求項１】
電子メールを送受信する電子メール送受信手段と、
前記電子メール送受信手段により受信された前記電子メールを表示する表示手段と、
前記表示手段に表示された受信された前記電子メールの文字間でカーソル位置を移動させるカーソル移動手段と、
前記カーソル位置で文字の入力を行う文字入力手段と、
前記文字入力手段により入力された前記文字を抜き出し、抜き出された前記文字を前記電子メール送受信手段により送信される電子メールとして作成する電子メール作成手段とを備えたことを特徴とする携帯端末。
【請求項２】
前記文字入力手段により入力された前記文字を、受信された前記電子メールの文字とは異なる態様で表示させる文字表示手段をさらに備えた請求項１記載の携帯端末。
【請求項３】
受信された前記電子メールに前記文字の入力が開始された場合、前記カーソル位置に一組の開始タグおよび終了タグを作成し挿入するタグ作成手段をさらに備え、
前記文字入力手段は、前記一組の開始タグおよび終了タグの間に前記文字の入力を行い、
前記電子メール作成手段は、前記開始タグおよび終了タグで囲まれた前記文字を抜き出すことにより電子メールを作成する請求項１または２記載の携帯端末。
【請求項４】
受信された前記電子メール上の前記カーソル位置を範囲選択の開始位置として指定を受け付ける第一の入力手段と、
前記第一の入力手段により指定を受け付けた後、受信された前記電子メール上の前記開始位置とは異なる前記カーソル位置を前記範囲選択の終了位置として指定を受け付ける第二の入力手段と、
前記開始位置および終了位置により範囲選択された前記文字をコピーするコピー手段と、
前記第二の入力手段により指定を受け付けた後、受信された前記電子メール上の前記カーソル位置を、コピーされた前記文字を挿入する挿入位置として指定を受け付ける第三の入力手段と、
前記第三の入力手段入力手段により指定を受け付けた後、コピーされた前記文字を入力された文字とみなして前記挿入位置に挿入する挿入手段とをさらに備えた請求項１記載の携帯端末。
【請求項５】
電子メールを受信する電子メール受信ステップと、
受信した前記電子メールを表示する表示ステップと、
前記表示した前記電子メールの文字間でカーソル位置を移動させるカーソル移動ステップと、
前記カーソル位置で文字の入力を行う文字入力ステップと、
前記文字入力ステップにより入力された前記文字を抜き出し、抜き出された前記文字を送信される電子メールとして作成する電子メール作成ステップとを備えたことを特徴とする電子メール作成方法。
【発明の詳細な説明】
【技術分野】
【０００１】
本発明は電子メール送受信機能を備えた携帯端末および電子メール作成方法に係り、電子メール作成時の操作性に優れた携帯端末および電子メール作成方法に関する。
【背景技術】
【０００２】
今日、電子メールの送受信機能を備えた携帯端末が広く利用されている。また、電子メールの送受信頻度も高くなり、電子メール閲覧時の視認性や電子メール作成時の操作性に優れた携帯端末がユーザから望まれている。
【０００３】
電子メールを送信する際、既に受信した電子メール（受信メール）を参照しながら返信としての電子メール（返信メール）を作成する技術が知られている。
【０００４】
例えば、特許文献１には、特に返信メールの作成が容易な電子メール編集装置が開示されている。この電子メール編集装置は、液晶表示部の表示領域の一部をウインドウ分割することによって、本文編集画面およびメール参照画面を同時に表示する。このため、返信メールに関連する受信メールを容易に参照することができる。
【先行技術文献】
【特許文献】
【０００５】
【特許文献１】特開２００４−３３４５３２号公報
【発明の概要】
【発明が解決しようとする課題】
【０００６】
特許文献１に開示された電子メール編集装置は、返信メールを編集するための本文編集画面と、受信メールを参照するためのメール参照画面とを同時に表示させる。しかし、一般的に小さい表示部を備える携帯端末では、表示部を分割すると各画面で表示される領域が小さくなり、視認性に劣る。また、各画面に表示されない部分を閲覧するためには、スクロール操作などを必要とし、かえって操作数が増加してしまう場合がある。
【０００７】
また、特許文献１に開示された電子メール編集装置は、分割された本文編集画面と電子メール参照画面とを切り替えるためには、下向きまたは上向きのカーソル移動キーを長押しする操作を必要とした。上述したとおり携帯端末に設けられた表示部は各画面の表示領域が小さいため、制御対象となっていない画面の非表示となっている部分を参照するためには、この制御対象を切り替える操作をその都度必要とするものであった。
【０００８】
本発明はこのような事情を考慮してなされたもので、既に受信した電子メールを参照しながら容易に電子メールを作成することができる携帯端末および電子メール作成方法を提供することを目的とする。
【課題を解決するための手段】
【０００９】
本発明に係る携帯端末は、上述した課題を解決するために、電子メールを送受信する電子メール送受信手段と、前記電子メール送受信手段により受信された前記電子メールを表示する表示手段と、前記表示手段に表示された受信された前記電子メールの文字間でカーソル位置を移動させるカーソル移動手段と、前記カーソル位置で文字の入力を行う文字入力手段と、前記文字入力手段により入力された前記文字を抜き出し、抜き出された前記文字を前記電子メール送受信手段により送信される電子メールとして作成する電子メール作成手段とを備えたことを特徴とする。
【００１０】
また、本発明に係る電子メール作成方法は、電子メールを受信する電子メール受信ステップと、受信した前記電子メールを表示する表示ステップと、前記表示した前記電子メールの文字間でカーソル位置を移動させるカーソル移動ステップと、前記カーソル位置で文字の入力を行う文字入力ステップと、前記文字入力ステップにより入力された前記文字を抜き出し、抜き出された前記文字を送信される電子メールとして作成する電子メール作成ステップとを備えたことを特徴とする。
【発明の効果】
【００１１】
本発明に係る携帯端末および電子メール作成方法は、既に受信した電子メールを参照しながら容易に電子メールを作成することができる。
【図面の簡単な説明】
【００１２】
【図１】本発明に係る携帯端末の実施形態を示す概略的な機能ブロック図。
【図２】本実施形態における携帯端末が個別の受信メール閲覧画面を表示する際の画面遷移図。
【図３】電子メール作成処理における画面遷移図。
【図４】本実施形態における携帯端末の制御部により実行される電子メール作成処理を説明するフローチャート。
【図５】電子メール作成処理により作成された返信メールの表示例を示す図。
【図６】本実施形態における携帯端末の制御部により実行される受信メール引用処理を説明するフローチャート。
【図７】受信メール引用処理にける画面遷移図。
【発明を実施するための形態】
【００１３】
本発明に係る携帯端末の実施形態を添付図面に基づいて説明する。
【００１４】
図１は、本発明に係る携帯端末の実施形態を示す概略的な機能ブロック図である。
【００１５】
携帯端末１は、Ｗ−ＣＤＭＡ方式、ＧＳＭ方式、ｃｄｍａ２０００  １ｘ  ＲＴＴ方式、ＥＶＤＯ方式、および３．９世代のＬＴＥシステムの無線アクセスであるＥ−ＵＴＲＡ方式のいずれの無線通信方式によっても音声通信やデータ通信を行うことが可能である。また、アンテナ１１、無線送受信部１２、および信号処理部１３はこれらの方式に対応する。
【００１６】
アンテナ１１は、移動通信網に収容される基地局から所定の通信処理システムで送信される無線信号を空間から受信する。また、アンテナ１１は、所定の通信処理システムで無線通信できるように空間に所定のアクセス方式の無線信号を放射する。
【００１７】
無線送受信部１２は、アンテナ１１を介して、移動通信網に収容される基地局との間で所定の通信処理方式で無線通信する。無線送受信部１２は、信号処理部１３にて生成された変調信号に基づいて、制御部１９から出力される制御信号（ＳＹＣ）で指示されるキャリア周波数の無線信号を生成する。また、無線送受信部１２は、制御部１９から指示されるキャリア周波数の無線信号を受信し、周波数シンセサイザから出力された局部発振信号とミキシングして中間周波数信号に周波数変換（ダウンコンバート）する。そして、無線送受信部１２は、このダウンコンバートされた中間周波数信号を直交復調して受信ベースバンド信号を出力する。この受信結果は、信号処理部１３と制御部１９に出力される。
【００１８】
信号処理部１３は、ＤＳＰ（Ｄｉｇｉｔａｌ  Ｓｉｇｎａｌ  Ｐｒｏｃｅｓｓｏｒ）などにより構成され、受信ベースバンド信号に所定の信号処理を施し、所定の伝送フォーマットの受信パケットデータを得る。また、信号処理部１３は、受信パケットデータに含まれる音声信号を復調し、この復調結果を復号して音声データなどを得る。復号処理により得られた音声データは、ＰＣＭコーデック１４に供給される。ＰＣＭコーデック１４は、音声データをＰＣＭ復号し、ＰＣＭ復号後のアナログオーディオデータ信号を受話増幅器１５に出力する。このアナログオーディオ信号は、受話増幅器１５にて増幅された後、レシーバ１６により出力される。
【００１９】
一方、マイクロフォン１７に入力された話者（ユーザ）の音声信号（アナログオーディオ信号）は、送話増幅器１８により適正レベルまで増幅された後、ＰＣＭコーデック１４によりＰＣＭ符号化される。このＰＣＭ符号化後のオーディオ信号は、信号処理部１３に入力される。信号処理部１３は、このオーディオ信号を符号化し、符号化によって得た音声データやその他のデータに基づいて変調信号を生成するとともに、生成された変調信号を無線送受信部１２に出力する。
【００２０】
制御部１９は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、およびＲＡＭ（Ｒａｎｄｏｍ  Ａｃｃｅｓｓ  Ｍｅｍｏｒｙ）などからなる。ＣＰＵは、ＲＯＭに記憶されているプログラムまたは記憶部２０からＲＡＭにロードされた、オペレーティングシステム（ＯＳ）を含む各種のアプリケーションプログラムや制御プログラムに従って各種の処理を実行する。また、ＣＰＵは、種々の制御信号を生成し、各部に供給することにより携帯端末１を統括的に制御する。ＲＡＭは、ＣＰＵが各種の処理を実行する上において必要なデータなどを適宜記憶する。制御部１９の文字変換部３１、タグ作成フィルタ３２およびタグ識別フィルタ３３については、後述する。
【００２１】
記憶部２０は、例えば、電気的に書換えや消去が可能な不揮発性メモリであるフラッシュメモリ素子やＨＤＤ（Ｈａｒｄ  Ｄｉｓｃ  Ｄｒｉｖｅ）などからなる。記憶部２０は、制御部１９のＣＰＵより実行される種々のアプリケーションプログラムや種々のデータ群、携帯端末１の制御プログラムや制御データ、携帯端末１またはユーザに固有に割り当てられた識別情報を格納する。この他にも、記憶部２０は、例えば名前、電話番号、住所および位置情報が連絡先情報として登録された電話帳データや、データ通信により取得したデータやダウンロードしたデータ、送受信された電子メールデータなどを適宜記憶する。電源回路２１は、バッテリ２２の出力を基に所定の動作電源電圧Ｖｃｃを生成して各回路部に供給する。携帯端末１には、現在の時刻を測定する時計回路（タイマ）２３が設けられている。
【００２２】
表示部２４は、文字や画像などからなるデータを表示する領域を備える。この表示部は、例えばＬＣＤ（Ｌｉｑｕｉｄ  Ｃｒｙｓｔａｌ  Ｄｉｓｐｌａｙ）、有機ＥＬ（ＥｌｅｃｔｒｏＬｕｍｉｎｅｓｃｅｎｃｅ）ディスプレイ、無機ＥＬディスプレイにより構成される。操作部２５は、操作キーやタッチパネルタイプの操作面に対する入力動作を検出する。本実施形態においては、受信メール文書中の文字間でカーソル位置を移動させるカーソル移動手段、およびカーソル移動手段により移動されたカーソル位置で文字の入力を行う文字入力手段として機能する。
【００２３】
本実施形態における携帯端末１は、受信した電子メール（受信メール）に対する返信としての電子メール（返信メール）を作成する際の操作性を向上させるための電子メール簡易作成機能を備える。電子メール簡易作成機能は、受信メール本文などの文書中に、その受信メールに対する返信メールの文書を直接入力し、入力完了後に入力された文書のみを抜き出すことで返信メールを作成する処理である。
【００２４】
この電子メール簡易作成機能は、主に、制御部１９に設けられた文字変換部３１、タグ作成フィルタ３２およびタグ識別フィルタ３３により実現される。
【００２５】
文字変換部３１は、操作部２５から入力された文字を受信メールの文書中に挿入して表示部２４に表示する際に、受信メール文書中の文字とは異なる態様（フォントや色など）に変換する。本実施形態においては、文字変換部３１は文字表示手段の一部として機能する。
【００２６】
タグ作成フィルタ３２は、受信メールの文書中に文字の入力が開始された場合、入力開始時のカーソル位置に文字の挿入の開始位置を示す開始タグ、および文字の挿入の終了位置を示す終了タグからなる一組のタグを挿入する。本実施形態においては、タグ作成フィルタ３２はタグ作成手段として機能する。
【００２７】
タグ識別フィルタ３３は、タグ作成フィルタ３２により入力された開始タグおよび終了タグに基づいて、受信メールの文書中に入力された文字を抜き出すフィルタ処理を行う。本実施形態においては、タグ識別フィルタ３３は電子メール作成手段の一部として機能する。
【００２８】
本実施形態における携帯端末１により実現される電子メール簡易作成機能の具体的な処理の流れについて説明する。
【００２９】
まず、電子メール簡易作成機能を用いた電子メール作成処理の前提となる、受信メールの表示例について説明する。
【００３０】
図２は本実施形態における携帯端末１が個別の受信メール閲覧画面を表示する際の画面遷移図である。
【００３１】
携帯端末１は、受信メールを表示する指示をユーザより受け付けると、例えば図２（Ａ）に示す受信メールの一覧を表示する。図２（Ａ）では、三件の受信メールの受信日時、送信元名称、件名がそれぞれ表示されている。ここで一件の受信メールが選択されると、個別の受信メールの閲覧画面へと移行する。例えば、図２（Ｂ）に示すように、図２（Ａ）に示す三件の受信メールのうちの一件の送信元名称（山田太郎）、件名（明日の予定）および本文（明日の会議は……資料をいただきたいのですが。）が表示される。
【００３２】
電子メール簡易作成機能を用いた電子メール作成処理は、例えば閲覧中の受信メールに対する返信メールを作成する指示を受け付けた場合に開始される。携帯端末１は、返信メールを作成する指示を受け付けると、受信メールの件名や本文中で移動可能なカーソルを表示し、ユーザに操作させるようになっている。返信メールを作成する指示は個別の受信メール閲覧画面のみならず、受信メールの一覧が表示された状態で一件の受信メールに対して受け付けるようにしてもよい。なお、特に返信メールを作成する指示を受け付けることなく、受信メール表示中に常にユーザに操作可能なカーソルを表示し、適宜返信メールを作成できるようにとしてもよい。
【００３３】
図３は、電子メール作成処理における画面遷移図である。カーソル４０は、例えば操作部２５に設けられた十字キーなどを用いて、受信メールの文字間を上下左右方向に移動可能になっている。カーソル４０の位置は、文字入力が開始される位置を示す。文字入力は、操作部２５に設けられた文字入力用の操作キーなどが操作されることで行われるようになっている。図３（Ａ）に示すカーソル４０は、「明日の会議は１３：００から行います。」の後に移動されている。
【００３４】
図４は、本実施形態における携帯端末１の制御部１９により実行される電子メール作成処理を説明するフローチャートである。
【００３５】
ステップＳ１において、制御部１９は、文字入力が行われたか否かの判定を行う。ここでユーザにより入力される文字は、受信メールに対する返信としての文書を構成する文字である。制御部１９は、操作部２５が何らかの文字入力操作を検出した場合に文字入力が行われたと判定する。制御部１９は、文字入力が行われていないと判定した場合、文字入力が行われるまで待機する。
【００３６】
一方、制御部１９は、文字入力が行われたと判定した場合、ステップＳ２において、文字入力が行われたカーソル位置の直前に開始タグが存在するか否かの判定を行う。制御部１９は直前に開始タグが存在すると判定した場合、処理を文字態様変換ステップＳ４に進める。
【００３７】
制御部１９は直前に開始タグが存在しないと判定した場合、ステップＳ３において、タグ作成フィルタ３２は、カーソル位置に開始タグおよび終了タグを挿入する。なお、直前に開始タグが存在しないと判定される場合とは、直前に終了タグが存在する場合、または開始タグおよび終了タグのいずれもが存在しない場合である。電子メール作成処理開始直後は、未だ開始タグおよび終了タグが挿入されていないため、制御部１９は開始タグが存在しないと判定する。
【００３８】
タグ作成フィルタ３２は、タグの挿入をバックグラウンドで行う。挿入されたタグは表示部２４には表示されず、ユーザからは視認されない。図３（Ｂ）は、受信メール中に開始タグおよび終了タグが挿入された場合の表示例を示す図である。図３（Ｂ）では開始タグおよび終了タグを図示しているが、実際には表示されない。以下、特に説明がない場合も同様とする。開始タグおよび終了タグは、カーソル４０が位置する「明日の会議は１３：００から行います。」の直後に、バックグラウンドで挿入される。また、カーソル４０は、開始タグおよび終了タグの間に位置する。
【００３９】
ステップＳ４において、文字変換部３１は、文字入力判定ステップＳ１で入力されたと判定された文字の態様を変換する。文字変換部３１は、入力された文字を表示された受信メールの文字とは異なる態様に変換する。例えば、文字変換部３１は、受信メールが黒字で表示されている場合には、太字に変換したり、入力された文字を赤字にしたりして、受信メールと入力された文字がユーザにより容易に区別されるように変換する。
【００４０】
ステップＳ５において、制御部１９は、変換された文字を表示部２４に表示する。制御部１９は、変換された文字をタグ挿入ステップＳ３において挿入された開始タグと終了タグとの間に表示する。図３（Ｃ）は、受信メールに入力された文字が挿入された場合の表示例を示す図である。例えば、ユーザにより文字「１」が入力されると、受信メールの開始タグおよび終了タグの間に入力された「１」が表示される。また、文字が入力された直後は、カーソル４０は入力された文字と終了タグとの間に位置する（表示される）。
【００４１】
ステップＳ６において、制御部１９は文字入力が完了したか否かの判定を行う。制御部１９は、例えばユーザより文字入力が完了した旨の指示を操作部２５より受け付けた場合に、文字入力が完了したと判定する。制御部１９は、文字入力が完了していないと判定した場合、再び文字入力判定ステップＳ１に戻り、以降の処理を繰り返す。
【００４２】
ユーザは、所望する文字入力が完了するまで操作部２５より操作を繰り返す。既に挿入された開始タグおよび終了タグの間に再び文字入力が行われた場合、タグ判定ステップＳ２においては直前のタグは開始タグであると判定される。この場合においては、タグ挿入ステップＳ３でタグの挿入は行われずに文字態様変換ステップＳ４に進み以降の処理が行われる。
【００４３】
図３（Ｄ）は、受信メールに入力された文字が開始タグと終了タグとの間に入力された場合の表示例を示す図である。図３（Ｄ）では、既に入力された文字「１」に続いて、「３：００に変更できませんか？」が入力された例を示す。制御部１９は、文字入力位置を示すカーソル４０の位置の直前に開始タグが存在すると判定したため、特にタグの挿入を行わずに文字態様変換ステップＳ４および文字表示ステップＳ５のみが入力された文字に対して実行される。
【００４４】
これに対し、図３（Ａ）の受信メール本文中の「○○についての資料をいただきたいのですが。」の直後にカーソルが移動され、既に挿入された開始タグおよび終了タグ間以外の位置に文字入力が行われた場合、タグ判定ステップＳ２においては直前のタグは開始タグではないと判定される。ここでは、直前のタグは終了タグとなっている。この場合においては、タグ挿入ステップＳ３で新たに開始タグおよび終了タグが挿入され、文字態様変換ステップＳ４以降の処理が行われる。
【００４５】
図３（Ｅ）および（Ｆ）は、開始タグと終了タグとの間以外に文字が入力された場合の表示例を示す図である。図３（Ｅ）に示すように、文字入力位置を示すカーソル４０位置の直前に開始タグが存在しないと判定されたため、開始タグおよび終了タグが新たに挿入された（タグ挿入ステップＳ３）。また、図３（Ｆ）に示すように、文字態様変換ステップＳ４で変換された文字がこの開始タグおよび終了タグの間に表示された（文字表示ステップＳ５）。
【００４６】
制御部１９は、図４の完了判定ステップＳ６において文字入力が完了したと判定した場合、ステップＳ７において、タグ識別フィルタ３３はフィルタリング処理を行う。タグ識別フィルタ３３は、受信メール中に挿入された開始タグおよび終了タグで囲まれた文字のみを抜き出す処理を行う。
【００４７】
ステップＳ８において、制御部１９は、タグ識別フィルタ３３により抜き出された文字を作成された返信メールとして表示する。ユーザは、抜き出された文字により構成された返信メールを表示部２４で閲覧することができる。
【００４８】
図５は、電子メール作成処理により作成された返信メールの表示例を示す図である。なお、図５に示す返信メールは、図３（Ｆ）の受信メールの状態で文字入力が完了した後に作成されたものである。
【００４９】
電子メール作成処理により作成された返信メールは、図３（Ｆ）に示す状態から、受信メールに対して入力された文字である「１３：３０に変更できませんか？」と「了解しました。添付いたします。」のみが抜き出された電子メールである。また、返信メールは、電子メール作成処理前に閲覧していた受信メールの送信元である「山田太郎」を送信先として作成された。
【００５０】
この携帯端末１によれば、受信メール上の任意の位置に任意の文書を入力することで、受信メールを参照しながら電子メールを作成することができる。このため、受信メールを参照するために、受信メールとこの受信メールに対する返信メールを二画面で表示したり、受信メール画面と返信メール画面とを切り替えたり、受信メールの本文を引用したりする必要がなく、一画面で視認性よく電子メールを作成することができる。
【００５１】
また、返信メールとして送信される部分は受信メールに新規に入力された文字のみであるため、受信メールを引用して返信メールを作成する場合に比べて送信時のトラヒックの低下も期待できる。
【００５２】
次に、受信メール本文中の任意の文字を送信メールに簡易に引用するための操作について説明する。
【００５３】
図６は、本実施形態における携帯端末１の制御部１９により実行される受信メール引用処理を説明するフローチャートである。図７は、受信メール引用処理実行時の表示部２４の表示例を示す図である。以下に説明する携帯端末１の操作部２５は、押下により指示を受け付ける操作キーとして「決定キー」を備えるものとする。
【００５４】
ステップＳ１１において、制御部１９は、決定キーが押下されたか否かの判定を行う。決定キーは、ステップＳ１１においては受信メール上のカーソル４０位置を範囲選択の開始位置として指定を受け付ける第一の入力手段として機能する。制御部１９は、決定キーが押下されないと判定した場合、押下されるまで待機する。
【００５５】
制御部１９は決定キーが押下されたと判定した場合、ステップＳ１２において、カーソル４０位置から文字の範囲選択を開始する。図７（Ａ）ではカーソル４０が受信メール本文中の「１３：００」の直前に位置するため、制御部１９は「１３：００」の直前から文字の範囲選択を開始する。
【００５６】
ステップＳ１３において、制御部１９は、カーソル４０位置の移動に伴い、範囲の選択を受け付ける。すなわち、制御部１９は、押下判定ステップＳ１１において決定キーが押下された位置から、カーソル４０が移動した位置までを選択された範囲として受け付ける。図７（Ｂ）ではカーソル４０が「１３：００」の直後まで移動されたため、制御部１９は「１３：００」を選択された範囲として受け付ける。また、選択された範囲は、他の文字と判別するために反転表示される。
【００５７】
ステップＳ１４において、制御部１９は、決定キーが押下されたか否かの判定を行う。決定キーは、ステップＳ１４においては受信メール上の選択範囲の開始位置とは異なるカーソル４０位置を範囲選択の終了位置として指定を受け付ける第二の入力手段として機能する。制御部１９は、決定キーが未だ押下されないと判定した場合、範囲選択受付ステップＳ１３に戻り決定キーが押下されるまで処理を繰り返す。
【００５８】
制御部１９は決定キーが押下されたと判定した場合、ステップＳ１５において、選択範囲の開始位置および終了位置で範囲選択された文字をコピーする。図７（Ｂ）では「１３：００」が選択されたため、制御部１９は「１３：００」の文字をコピーする。
【００５９】
ステップＳ１６において、制御部１９は、カーソル４０位置の移動を受け付ける。図７（Ｃ）では、制御部１９は「明日の会議は１３：００から行います。」の後にカーソル４０位置の移動を受け付けた。
【００６０】
ステップＳ１７において、制御部１９は、決定キーが押下されたか否かの判定を行う。決定キーは、ステップＳ１７においては第二の入力手段により指定を受け付けた後、受信メール上のカーソル４０位置を、選択範囲の開始位置および終了位置で範囲選択された文字を挿入する挿入位置として指定を受け付ける第三の入力手段として機能する。制御部１９は、決定キーが未だ押下されないと判定した場合、カーソル移動受付ステップＳ１６に戻り決定キーが押下されるまで処理を繰り返す。
【００６１】
制御部１９は決定キーが押下されたと判定した場合、ステップＳ１８において、コピーされた文字を指定された挿入位置に挿入する。図７（Ｄ）では、制御部１９はコピーされた文字「１３：００」を「明日の会議は１３：００から行います。」の後に挿入した。このとき、文字の挿入は、上述した電子メール作成処理における文字の入力と同様に扱われる。すなわち、文字が挿入された際には電子メール作成処理の文字入力判定ステップＳ１で文字入力が行われたと判定され、タグ判定ステップＳ２以降の処理が行われる。具体的には、タグ作成フィルタにより開始タグおよび終了タグがバックグラウンドで作成される（タグ挿入ステップＳ３）。また、文字変換部３１は挿入される文字列を受信メールのフォントと異なる態様に変換する（文字態様変換ステップＳ４）。さらに、制御部１９は開始タグと終了タグとの間にコピーされた文字を挿入（表示）する（文字表示ステップＳ５）。
【００６２】
この受信メール引用処理は、受信メールから引用される文字を容易にコピーして挿入することができる。このため、返信メール作成時の文字入力の操作性をより向上させることができる。
【００６３】
なお、本実施形態においては、受信メールと同一画面上で返信メールを作成する例を説明した。しかし電子メール作成処理は返信メール以外の新規の電子メール（受信メール送信元以外に送信される電子メール）作成時にも適用することができる。また、文字の挿入を行う対象は電子メールに限らず、閲覧中のＷｅｂページやテキストデータにユーザが任意に文字入力を行うことができ、入力された文字のみを抜き出すことができるようにしてもよい。
【００６４】
本発明に係る携帯端末１は、ＰＤＡ（ＰｅｒｓｏｎａｌＤｉｇｉｔａｌＡｓｓｉｓｔａｎｔ）、パーソナルコンピュータ、携帯型ゲーム機、携帯型音楽再生機、携帯型動画再生機などの携帯端末にも適用することができる。
【００６５】
また、本発明の実施形態において説明した一連の処理は、ソフトウェアにより実行させることもできるが、ハードウェアにより実行させることもできる。
【００６６】
さらに、本発明の実施形態では、フローチャートのステップは、記載された順序に沿って時系列的に行われる処理例を示したが、必ずしも時系列的に処理されなくとも、並列的あるいは個別実行される処理をも含むものである。
【符号の説明】
【００６７】
１  携帯端末
１２  無線送受信部
１３  信号処理部
１４  ＰＣＭコーデック
１５  受話増幅器
１６  レシーバ
１７  マイクロフォン
１８  送話増幅器
１９  制御部
２０  記憶部
２１  電源回路
２２  バッテリ
２３  時計回路（タイマ）
２４  表示部
２５  操作部
３１  文字変換部
３２  タグ作成フィルタ
３３  タグ識別フィルタ
４０  カーソル
【図１】
2011065316.tif 000003
【図２】
2011065316.tif 000004
【図３】
2011065316.tif 000005
【図４】
2011065316.tif 000006
【図５】
2011065316.tif 000007
【図６】
2011065316.tif 000008
【図７】
2011065316.tif 000009